(57)【要約】【課題】ケーシングのサイズを大きくすることなく、室外熱交換器の熱交換量を高効率に増加させる。また、室外ユニットの通風抵抗を低減する。【解決手段】室外熱交換器は、熱交換器である熱交換部が、複数接続されて構成され、水平断面視又は垂直断面視した状態において、複数の熱交換部が波形又はジグザグに配置され、モーターサポートは、ケーシング内に固定される第１の支柱及び第２の支柱と、一端側が第１の支柱に接続され、他端側が第２の支柱に接続され、当該一端側と当該他端側との間で室外ファンを支持する支持部とを有し、第１の支柱及び第２の支柱のうちの少なくとも一方が、熱交換部同士の接続部のうちモーターサポート側の接続部に対向配置されている。【選択図】図１
2014059077.tif 000002
【特許請求の範囲】
【請求項１】
吸込口及び吹出口を有するケーシングと、
前記ケーシング内に設けられた室外熱交換器と、
前記ケーシング内に設けられ、前記室外熱交換器に空気を供給する室外ファンと、
前記ケーシング内であって前記室外熱交換器の下流側に設けられ、前記室外ファンを支持するモーターサポートと、
を有し、
前記室外熱交換器は、
熱交換器である熱交換部が、複数接続されて構成され、
水平断面視又は垂直断面視した状態において、複数の前記熱交換部が波形又はジグザグに配置され、
前記モーターサポートは、
前記ケーシング内に固定される第１の支柱及び第２の支柱と、
一端側が前記第１の支柱に接続され、他端側が第２の支柱に接続され、当該一端側と当該他端側との間で前記室外ファンを支持する支持部とを有し、
前記第１の支柱及び前記第２の支柱のうちの少なくとも一方が、前記熱交換部同士の接続部のうち前記モーターサポート側の接続部に対向配置されている
ことを特徴とする空気調和装置の室外ユニット。
【請求項２】
前記室外熱交換器は、
前記モーターサポート側の前記接続部が２つ以上形成されるように、４台以上の前記熱交換部から構成され、
前記モーターサポートは、
前記第１の支柱及び前記第２の支柱の双方が、前記モーターサポート側の接続部に対向配置されている
ことを特徴とする請求項１に記載の空気調和装置の室外ユニット。
【請求項３】
前記室外熱交換器は、
水平断面視した状態において波形又はジグザグに配置されているものであり、
前記第１の支柱及び前記第２の支柱は、
上端側が前記ケーシングの外郭上部に固定され、下端側が前記ケーシングの外郭下部に固定されている
ことを特徴とする請求項１又は２に記載の空気調和装置の室外ユニット。
【請求項４】
前記ケーシング内に設けられ、前記室外熱交換器に冷媒を供給する圧縮機と、
前記ケーシング内に設けられ、前記圧縮機が設けられる側と、前記室外熱交換器、前記モーターサポート及び前記室外ファンが設けられる側とを区画する仕切板とを有し、
前記室外熱交換器は、
垂直断面視した状態において波形又はジグザグに配置されているものであり、
前記第１の支柱及び前記第２の支柱は、
一端側が前記ケーシングの側面側の外郭に固定され、他端側が前記仕切板に固定されている
ことを特徴とする請求項１又は２に記載の空気調和装置の室外ユニット。
【請求項５】
前記室外熱交換器は、
前記モーターサポートとは反対側の前記接続部が、前記吸込口側に設けられている
ことを特徴とする請求項１〜４のいずれか一項に記載の空気調和装置の室外ユニット。
【請求項６】
前記室外熱交換器は、
所定の間隔を介して積層された複数のフィンと、これらフィンを貫通し、冷媒が流れる伝熱管とを有し、
前記フィンの積層方向が略水平方向である
ことを特徴とする請求項１〜５のいずれか一項に記載の空気調和装置の室外ユニット。
【請求項７】
前記室外熱交換器は、
所定の間隔を介して積層された複数のフィンと、これらフィンを貫通し、冷媒が流れる伝熱管とを有し、
前記フィンの積層方向が略垂直方向である
ことを特徴とする請求項１〜６のいずれか一項に記載の空気調和装置の室外ユニット。
【請求項８】
前記室外ファンは、
ボス、及び当該ボスの外周から突設された複数の羽根を有する羽根車と、
前記ボスに接続され、前記羽根車を回転させるモータと、
を有し、
前記モータが、
前記ボスに内蔵されている
ことを特徴とする請求項１〜７のいずれか一項に記載の空気調和装置の室外ユニット。
【請求項９】
前記室外ファンの前記羽根は、
内周側端部が前記ボスに接続された内周羽根と、
前記内周羽根の外周側端部に接続される中間リングと、
内周側端部が前記中間リングに接続された外周羽根と、
を有し、
前記中間リングは、
当該中間リングの径が前記第１の支柱と前記第２の支柱との対向間隔と略同一に形成され、
前記第１の支柱及び前記第２の支柱に対向配置されている
ことを特徴とする請求項８に記載の空気調和装置の室外ユニット。
【請求項１０】
前記室外ファンは、
前記中間リングよりも前記羽根の径方向において外側に設けられ、隣接する前記外周羽根を接続する外周リングを有する
ことを特徴とする請求項９に記載の空気調和装置の室外ユニット。
【請求項１１】
請求項１〜１０のいずれか一項に記載の空気調和装置の室外ユニットと、
室内熱交換器を有する室内ユニットとを備えた
ことを特徴とする空気調和装置。
【発明の詳細な説明】
【技術分野】
【０００１】
本発明は、空気調和装置の室外ユニット及びそれを備えた空気調和装置に関するものである。
【背景技術】
【０００２】
室外ユニットには、たとえば、室外熱交換器、この室外熱交換器に空気を供給するファン及び冷媒を圧縮する圧縮機などの機器が搭載され、それらを内蔵する箱状のケーシングを有しているものが各種提案されている。この室外ユニットは、冷媒配管を介して室内熱交換器などが搭載される室内ユニットに接続されており、室外ユニットから室内ユニットの室内熱交換器に冷媒を供給し、冷暖房を可能としている。
【０００３】
このような従来の空気調和装置の室外ユニットには、室外熱交換器における空気と冷媒との熱交換量を向上させるため、ケーシング内における室外熱交換器の実装体積を増加させたものが提案されている（たとえば、特許文献１参照）。
特許文献１に記載の技術は、ケーシングの側面のうちの複数の面に対してケーシング内外を連通するようにケーシングを構成し、当該複数の面に沿うような形状に室外熱交換器を構成している。すなわち、特許文献１に記載の技術では、室外熱交換器は、ケーシング内外を連通する面に沿うように、室外熱交換器を略Ｌ字形状や略コの字状などに構成されている。
【先行技術文献】
【特許文献】
【０００４】
【特許文献１】特開２００６−５７８６４号公報（たとえば、図１〜図５参照）
【発明の概要】
【発明が解決しようとする課題】
【０００５】
特許文献１に記載の室外ユニットにおいて、ユニットサイズを大きくすることなく、室外熱交換器の熱交換量を増加させる方法として、天板や底板面に開口などを形成し、天板や底板面に沿って室外熱交換器を配置する方法が考えられる。
しかしながら、この方法では、天板の上側や底板面の下側に吸い込みスペースを設ける必要がある分、室外ユニットの設置位置が制約されてしまう可能性がある。また、この方法では、組立が複雑になるなどして室外ユニットの製造性の低下を招いてしまう可能性がある。
【０００６】
特許文献１に記載の室外ユニットにおいて、ユニットサイズを大きくすることなく、室外熱交換器の熱交換量を増加させるその他の方法として、室外熱交換器の「厚み」、すなわち、フィンの空気流れ方向に平行な幅を大きくして、室外熱交換器の実装体積を大きくする方法が考えられる。
しかしながら、室外熱交換器の空気流れ方向の下流側ほど空気と冷媒との温度差は小さくなるため、厚みの増加とともに熱交換効率が低下し、結果として熱交換量の増加もそれほど見込むことができない可能性がある。
【０００７】
また、室外熱交換器の通風抵抗、すなわちファン入力は室外熱交換器の厚さにほぼ比例して増加する。このため、室外熱交換器の厚さを増加させて実装体積を増加しても、通風抵抗が大きくなる分、熱交換量が減少し、厚みを増大させたことに見合うだけの熱交換量の増加を期待できない可能性がある。
なお、室外熱交換器の厚みを増加させると通風抵抗が増加することに対応して、ファン入力を増加させる方法も考えられる。しかし、室外熱交換器を通過する空気の速度を大きくすると、通風抵抗が大きくなることから、さらに余分にファン入力を増加させる必要があり、その分室外ユニットの消費電力が大きくなってしまう可能性があった。
【０００８】
特許文献１に記載の室外ユニットは、室外熱交換器に付設される室外ファンが、室外熱交換器の下流側に配置されるように支持部材（モーターサポート）によって室外ユニット内に固定される。支持部材は、室外ユニット内の空気が流れる風路内に設けられることから、室外ユニットの通風抵抗が増加する。このため、余分に室外ファンの入力を増加させる必要があり、その分室外ユニットの消費電力が大きくなってしまう可能性があった。
【０００９】
本発明は、以上のような課題を解決するためになされたもので、「ケーシングのサイズを大きくすることなく、室外熱交換器の熱交換量を高効率に増加させる」こと、及び、「室外ユニットの通風抵抗を低減する」ことを実現する空気調和装置の室外ユニット及びそれを備えた空気調和装置を提供することを目的としている。
【課題を解決するための手段】
【００１０】
本発明に係る空気調和装置の室外ユニットは、吸込口及び吹出口を有するケーシングと、ケーシング内に設けられた室外熱交換器と、ケーシング内に設けられ、室外熱交換器に空気を供給する室外ファンと、ケーシング内であって室外熱交換器の下流側に設けられ、室外ファンを支持するモーターサポートと、を有し、室外熱交換器は、熱交換器である熱交換部が、複数接続されて構成され、水平断面視又は垂直断面視した状態において、複数の熱交換部が波形又はジグザグに配置され、モーターサポートは、ケーシング内に固定される第１の支柱及び第２の支柱と、一端側が第１の支柱に接続され、他端側が第２の支柱に接続され、当該一端側と当該他端側との間で室外ファンを支持する支持部とを有し、第１の支柱及び第２の支柱のうちの少なくとも一方が、熱交換部同士の接続部のうちモーターサポート側の接続部に対向配置されている。
【発明の効果】
【００１１】
本発明に係る空気調和装置の室外ユニットによれば、複数の熱交換部が波形又はジグザグに配置され、第１の支柱及び第２の支柱のうちの少なくとも一方が、熱交換部同士の接続部のうちモーターサポート側の接続部に対向配置されるので、「ケーシングのサイズを大きくすることなく、室外熱交換器の熱交換量を高効率に増加させる」こと、及び、「室外ユニットの通風抵抗を低減する」ことができる。
【図面の簡単な説明】
【００１２】
【図１】本発明の実施の形態１に係る空気調和装置の室外ユニットの概要構成例図である。
【図２】図１に示すファンモータ及びモーターサポートの模式図である。
【図３】本発明の実施の形態２に係る空気調和装置の室外ユニットの概要構成例図である。
【図４】図３に示すファンモータ及びモーターサポートの模式図である。
【図５】本発明の実施の形態３に係る空気調和装置の室外ユニットの概要構成例図である。
【図６】本発明の実施の形態４に係る空気調和装置の室外ユニットの概要構成例図である。
【図７】図６に示す室外ユニットの変形例である。
【００１３】
以下、本発明の実施の形態を図面に基づいて説明する。
実施の形態１．  
本実施の形態１に係る空気調和装置の室外ユニット５０は、室外ユニット５０に搭載された室外熱交換器７及びモーターサポート３０に改良が加えられたものであり、「ケーシングのサイズを大きくすることなく、室外熱交換器の熱交換量を高効率に増加させる」こと、及び、「室外ユニットの通風抵抗を低減する」ことができるものである。
【００１４】
［構成説明］
図１は、実施の形態１に係る空気調和装置の室外ユニット５０の概要構成例図である。
なお、図１（ａ）は、室外ユニット５０の正面図である。図１（ｂ）は、図１（ａ）のＡ−Ａ断面図である。図１（ｃ）は、室外ユニット５０の背面図（吸込口６側から見た図）である。図１（ｄ）は、左側面図である。図１（ｅ）は、図１（ｂ）のＢ−Ｂ断面図である。また、図１（ｂ）に示す矢印は、室外ユニット５０を流れる空気の流れを示すものである。図２は、図１に示すファンモータ及びモーターサポートの模式図である。図１及び図２を参照して、室外ユニット５０の構成について説明する。
室外ユニット５０は、外郭であるケーシング１と、冷媒を圧縮する圧縮機９と、空気を送風する室外ファン４と、ファンを固定するモーターサポート３０と、冷房運転時には凝縮器として機能し、暖房運転時には蒸発器として機能する室外熱交換器７と、室外熱交換器７及び室外ファン４側と圧縮機９側とを仕切る仕切板８とを有している。
【００１５】
（ケーシング１）
ケーシング１は、室外ユニット５０外の空気を取り込む吸込口６、及び室外ユニット５０内の空気が放出される吹出口２が形成された箱状の外郭である。ケーシング１内には、室外ファン４が駆動することによって吸込口６から流入した空気が室外熱交換器７及び室外ファン４を通って吹出口２へ流れる風路が形成されている。
ケーシング１は、たとえば、外郭のうちの底面側を構成するベース板１ａと、前面側を構成し、吹出口２が形成されたフロントパネル１ｂと、両方の側面側を構成するサイドパネル１ｃと、背面側を構成するリアパネル１ｅと、上面側を構成する天板１ｄとを有している。
【００１６】
ベース板１ａは、ケーシング１のうち下面側の外郭を構成するものである。ベース板１ａ上には、室外熱交換器７と圧縮機９とモーターサポート３０が固定されている。また、ベース板１ａ上には、仕切板８が立設されており、ケーシング１内に取り込まれた後に放出される空気が流れる室外熱交換器７及び室外ファン４側と、圧縮機９などが設けられる側とが区画されている。
フロントパネル１ｂは、ケーシング１のうち室外ファン４が設けられている側の外郭を構成するものである。フロントパネル１ｂのうちの前面外郭であって吹出口２の形成位置には、室外ファン４がモーターサポート３０を介して取り付けられている。なお、吹出口２の形成位置は、室外ファン４の取付位置と対向している。また、フロントパネル１ｂには、吹出口２の開口部分の周縁側において、吹出口２側から吸込口６側に向かって突出して形成されたベルマウス３が設けられている。
【００１７】
サイドパネル１ｃは、フロントパネル１ｂに対して略垂直な側面側の外郭を構成するものである。サイドパネル１ｃは、一方が室外熱交換器７側に設けられ、他方が圧縮機９側に設けられている。リアパネル１ｅはフロントパネル１ｂに対向する面に設けられ、圧縮機９側に設けられたサイドパネル１ｃと共に機械室１０を構成する。
天板１ｄは、ケーシング１のうち上面側の外郭を構成するものである。天板１ｄは、たとえばフロントパネル１ｂの上端側、サイドパネル１ｃの上端側、リアパネル１ｅの上端側などに固定されている。
なお、ケーシング１は、室外熱交換器７の上流側の面と対向する側が、開放されており、この開放部分が吸込口６を構成している。
【００１８】
（圧縮機９）
圧縮機９は、冷媒を圧縮して吐出するものである。圧縮機９は、ベース板１ａ上であって仕切板８を介して室外熱交換器７および室外ファン４側とは反対側に設けられている。
【００１９】
（室外ファン４）
室外ファン４は、吸込口６を介してケーシング１内に空気を強制的に取り込み、この取り込んだ空気を吹出口２から放出させるものである。室外ファン４は、ボス４ｂ、及びこのボス４ｂの外周から突設された複数の羽根４ａを有する羽根車と、ボス４ｂにシャフト５ａを介して接続され、この羽根車を回転させるファンモータ５とを有しているものである。
ボス４ｂは、略円板状の部材であり、内部にファンモータ５が内蔵されている。ボス４ｂは、シャフト５ａに接続されており、シャフト５ａの回転に伴って自身も回転し、羽根４ａを回転させる。
羽根４ａは、略円板状のボス４ｂの周縁側に接続されており、ボス４ｂの回転とともに回転するものである。
【００２０】
ファンモータ５は、図示省略のコイルが巻き付けられた固定子及び固定子によって回転させられる回転子などを有し、シャフト５ａを介して羽根４ａを回転させ、ケーシング１内に空気を取り込むことを可能とするものである。
ファンモータ５の回転子には、シャフト５ａの一端側が接続されている。ファンモータ５の空気流れ方向の上流側には、モーターサポート３０が設けられており、後述する支柱３０ａ及び支持部３０ｂによって、室外ファン４が固定される。
シャフト５ａは、一端側がファンモータ５に接続され、他方側がボス４ｂに接続される棒状部材であり、ファンモータ５の回転子の回転をボス４ｂ及び羽根４ａに伝達させるものである。
【００２１】
なお、室外ファン４は、たとえば軸流ファンなどとするとよい。また、羽根４ａの回転軸に平行な方向の幅を狭くするとともに、羽根４ａの枚数を多くするとよい。たとえば、従来では３枚から４枚である羽根枚数を５枚以上にすると良い。これにより、室外ファン４が室外熱交換器７に空気を供給する能力を確保しながら、省スペース化を図ることができ、室外熱交換器７を設置することができるスペースを拡大することができる。すなわち、室外ファン４側のスペースを室外熱交換器７に割くことができる分、室外熱交換器７の実装体積を増大させることができ、ケーシング１のサイズを大きくすることなく、室外熱交換器７の熱交換量を高効率に増加させることができる。
【００２２】
（室外熱交換器７）
室外熱交換器７は、図１（ｂ）に示すように、供給される空気と冷媒とを熱交換させる４つの熱交換部７ａ〜７ｄを有している。熱交換部７ａ〜７ｄは、熱交換器であり、これらが冷媒配管で接続されて室外熱交換器７を構成している。
熱交換部７ａ〜７ｄは伝熱管７２で接続する。図１の例では、熱交換器の一方の端部をなす熱交換部７ｄに配管同士を接続するＵベンド（図示省略）を接続するＵベンド側伝熱管７２ａを設け、もう一方の端部をなす熱交換部７ａにヘアピン側伝熱管７２ｃを設ける。「熱交換部７ａと熱交換部７ｂ」、「熱交換部７ｂと熱交換部７ｃ」、「熱交換部７ｃと熱交換部７ｄ」は伝熱管折り曲げ部７２ｂを介して接続されている。
熱交換部７ａ〜７ｄは、水平断面視した形状が略波形（ジグザグ状）となるように配置されている。このため、ケーシング１内に設けられる室外熱交換器７の実装体積が増大し、熱交換量を増大させることができる。
また、室外熱交換器７は、水平断面形状が略波形であることに対応して、たとえば水平断面形状が直線状の室外熱交換器と比較すると、室外熱交換器７の通風面積も増大する。このため、室外熱交換器７は、たとえば水平断面形状が直線状のものと同じ値だけ実装体積を増加させても、増大する通風抵抗を抑制することが可能となっている。すなわち、室外熱交換器７は、室外熱交換器７の実装体積の増大に伴ってファン入力を増大させても、室外熱交換器７の通風抵抗を抑制することができる分、ファン入力を低減することができる。
さらに、室外熱交換器７は、実装体積及び通風面積が大きいが、水平断面視した形状が略波形となっているため、コンパクトとなっている。
このように、室外熱交換器７は、ケーシング１のサイズを大きくすることなく、実装体積及び通風面積を大きくすることができ、室外熱交換器７の熱交換量を高効率に増加させることができるようになっている。
【００２３】
熱交換部７ａと熱交換部７ｂとの接続角度（第１の角度）、熱交換部７ｂと熱交換部７ｃとの接続角度（第２の角度）、及び熱交換部７ｃと熱交換部７ｄとの接続角度（第３の角度）は、室外熱交換器７を水平断面視したときに、鋭角となるように接続されている。なお、これらの接続角度は同じ値でなくてもよい。
【００２４】
室外熱交換器７は、熱交換器である熱交換部７ａ〜７ｄが４つ接続されて構成されており、熱交換部７ａ〜７ｄ同士を接続する冷媒配管が曲げられたような形状をしている。すなわち、室外熱交換器７は、熱交換部７ａと熱交換部７ｂとの接続箇所に対応する伝熱管折り曲げ部７２ｂ（第１の折れ曲がり部）と、熱交換部７ｂと熱交換部７ｃとの接続箇所に対応する伝熱管折り曲げ部７２ｂ（第２の折れ曲がり部）と、熱交換部７ｃと熱交換部７ｄとの接続箇所に対応する伝熱管折り曲げ部７２ｂ（第３の折れ曲がり部）とを有している。このように、室外熱交換器７は、熱交換部７ａ〜７ｄを合計４台有しているため、これに対応して折れ曲がり部が３つ形成されている。すなわち、熱交換部の台数が仮にＮ台（Ｎは２以上の整数）である場合には、折れ曲がり部はＮ−１つ形成されるということである。
また、熱交換部７ａ〜７ｄの室外ファン４側の端部側は、室外ファン４に近接し、室外熱交換器７の通風面積が十分大きくなるように配置されている。
【００２５】
熱交換部７ａ〜７ｄは、フィン７１と伝熱管７２で構成されている。図１（ｂ）でフィン７１は、紙面直交方向（垂直方向）に伸びた短冊状の板で、空気が流れるすきまが形成されるように一定の間隔を介して水平方向に複数積層されている。
なお、熱交換部７ａ〜７ｄの構成は、それに限定されるものではなく、フィン７１が垂直方向に複数積層されたものであってもよい。フィン７１を垂直方向に積層すると空気流れ方向に対してフィン７１が平行となる。すなわち、フィン７１を垂直方向に積層すると、フィン７１間のすきまが水平方向に拡がっている。このため、室外熱交換器７の通風抵抗を低減することができ、ファン入力を低減することができる。
【００２６】
（モーターサポート３０）
モーターサポート３０は、室外ファン４をケーシング１内に支えるものである。モーターサポート３０は、図２に示すように、略垂直方向に延びるように設けられた２本の支柱３０ａと、この支柱３０ａに対して略直交するように設けられた２本の支持部３０ｂとを有している。
【００２７】
支柱３０ａは、図２に示すように、ケーシング１のベース板１ａ側から天板１ｄ側にかけて、略垂直方向に延びるように設けられた直線棒状部材であり、支持部３０ｂを介して室外ファン４のファンモータ５を支持するものである。この支柱３０ａは、下端側がベース板１ａに固定され、上端側が天板１ｄ等に固定されている。また、支柱３０ａの断面形状（水平断面形状）は、図２に示すように、略四角形状となっている。
【００２８】
支柱３０ａは、空気流れ方向の上流側が、室外熱交換器７の伝熱管折り曲げ部７２ｂの対向位置となるようにケーシング１に設けられている。より詳細には、図２の紙面左側の支柱３０ａは、室外熱交換器７の第１の折れ曲がり部の対向位置に設けられ、図２の紙面右側の支柱３０ａは、室外熱交換器７の第３の折れ曲がり部の対向位置に設けられている。
伝熱管折り曲げ部７２ｂ側に流入する空気は、伝熱管折り曲げ部７２ｂの上流側の表面に沿うように流れた後に、伝熱管折り曲げ部７２ｂの下流側に流れる。このため、伝熱管折り曲げ部７２ｂの下流側の近傍は、空気の流れが少なくなっている。すなわち、支柱３０ａは、空気の流れの少ない伝熱管折り曲げ部７２ｂの対向位置に配置されているので、モーターサポート３０による通風抵抗の増加を抑制することができる。これにより、室外ファン４の入力の増加を抑制できる。また、気流の干渉による乱れに起因する騒音の増加も抑制できる。
【００２９】
なお、本実施の形態１では、支柱３０ａの「両方とも」に、伝熱管折り曲げ部７２ｂに対向配置されているものとして説明したが、それに限定されるものではない。
モーターサポート３０は、支柱３０ａのうちの「少なくとも一方」が、熱交換部７ａ〜７ｄ同士の接続部である伝熱管折り曲げ部７２ｂに対向配置されたものであっても、同質の効果を得ることができることは言うまでもない。たとえば、熱交換部の台数が４台ではなく、３台であり、モーターサポート３０側の伝熱管折り曲げ部７２ｂが１つだけとなるような場合があてはまる。
また、本実施の形態１では、「隣接」する伝熱管折り曲げ部７２ｂに、支柱３０ａが対向配置されている場合を例に説明したが、それに限定されるものではない。たとえば、熱交換部が６台あり、モーターサポート３０側の伝熱管折り曲げ部７２ｂが３つある場合には、「中央の伝熱管折り曲げ部７２ｂではなく、両端」の伝熱管折り曲げ部７２ｂに支柱３０ａを配置してもよいということである。
さらに、本実施の形態１では、支柱３０ａと伝熱管折り曲げ部７２ｂとが対向配置されるものとして説明したが、この「対向配置」とは、支柱３０ａと伝熱管折り曲げ部７２ｂとが完全に真向かいに配置されることに限定されない。すなわち、支柱３０ａ及び伝熱管折り曲げ部７２ｂの配置は、若干ずれていていても、通風抵抗の増加を抑制する効果は得ることができる。
【００３０】
なお、支柱３０ａが、直線棒状部材であるものとして説明したが、それに限定されるものではなく、たとえば、支柱３０ａの一部が曲がっていてもよい。
また、支柱３０ａの断面形状についても、略四角形形状に限定されるものではなく、たとえば、円形、楕円形などとしてもよい。支柱３０ａの断面形状として楕円形を採用する場合には、その長軸が空気流れ方向に対して平行となるように、支柱３０ａをケーシング１に設置するとよい。これにより、ケーシング１内の風路の通風抵抗のうち、モーターサポート３０が寄与する分を抑制することができる。また、断面形状は略四角形状のみならず、板を折り曲げて略コ字形等にしても良い。
【００３１】
支持部３０ｂは、図２に示すように、支柱３０ａに対して略直交するように設けられた直線棒状部材であり、室外ファン４のファンモータ５を支持するものである。この支持部３０ｂの一端側は、一方の支柱３０ａに固定され、支持部３０ｂの他端側は、他方の支持部３０ｂに固定されている。また、支持部３０ｂの断面形状（縦断面形状）は、支柱３０ａと同様に、略四角形状となっている。
さらに、支持部３０ｂは、室外熱交換器７の熱交換部７ｂ及び熱交換部７ｃの下流側の位置に配置されている。
【００３２】
支持部３０ｂの高さ位置は、吹出口２の形成位置に対応して設けられるファンモータ５の高さ位置に応じて決定される。すなわち、本実施の形態１では、支柱３０ａの全高に対する略中央の位置にファンモータ５が固定されるため、当該配置に対応して支持部３０ｂも支柱３０ａの全高に対する中央部の位置に固定されている。なお、中央部とは、中央に限定されるものではなく、一定の幅を持っているものとする。以下の説明でも同様である。
図２の紙面上側の支持部３０ｂは、室外ファン４のシャフト５ａに対して上側となるように支柱３０ａに固定され、図２の紙面下側の支持部３０ｂは、シャフト５ａに対して下側となるように支柱３０ａに固定されている。
【００３３】
支持部３０ｂの中央部には、室外ファン４のファンモータ５が固定される。より詳細には、図２の紙面上側の支持部３０ｂの中央部には、ファンモータ５の上側が固定され、図２の紙面下側の支持部３０ｂの中央部には、ファンモータ５の下側が固定されている。このため、室外熱交換器７を通過した空気は、支柱３０ａ、支持部３０ｂ及びファンモータ５によって形成される空間Ｓを通過することができるようになっており、通風抵抗の低減を抑制することができるようになっている。
【００３４】
支持部３０ｂの太さは、図２に示すように、支柱３０ａよりも細く構成するとよい。
支柱３０ａは、モーターサポート３０及び支持部３０ｂを支えるものであるため強度を確保することが望ましいこと、及び、空気の流れの少ない伝熱管折り曲げ部７２ｂの対向位置に設けられることを考慮すると、その分、太くしてもよい。一方、支持部３０ｂは、空気が遮られない室外熱交換器７の熱交換部７ｂ及び熱交換部７ｃの下流側に配置されるため、通風抵抗が増大し過ぎてしまわないような太さとすることが望ましい。これらを考慮して、支持部３０ｂの太さは、支柱３０ａよりも細くするとよい。
【００３５】
また、図２では、支持部３０ｂの本数が２本である場合を例に説明したが、それに限定されるものではない。室外ファン４を確実に支持することができるのであれば、支持部３０ｂが１本でもよいし、逆に、支持部３０ｂが２本では足りない場合には、３本以上設けてもよい。または、紙面上側と紙面下側の支持部３０ｂを一枚の面状の板等で構成しても良い。
【００３６】
支柱３０ａ及び支持部３０ｂを構成する素材については、特に、限定されるものではないが、コイルが巻かれた固定子及び回転子などを搭載して重量がかさむ室外ファン４を確実に支持することができるように、たとえば、鉄などの金属で構成するとよい。
【００３７】
（仕切板８）
仕切板８は、室外熱交換器７及び室外ファン４などが設けられる側の空間と、圧縮機９などが設けられる側の空間とを区画するものである。仕切板８は、一端側がケーシング１のうち吸込口６が形成されているリアパネル１ｅ側に固定され、他端側がケーシング１のフロントパネル１ｂ側に固定されている。なお、仕切板８が、サイドパネル１ｃに対して略平行に設けられている場合を例に図示しているが、それに限定されるものではない。たとえば、仕切板８の一端側が、圧縮機９などの設けられている側に曲げられて形成され、風路を上流側もしくは下流側に拡大するように仕切板８を構成してもよい。
【００３８】
本実施の形態１では、室外熱交換器７の熱交換部の台数を４つとし、折れ曲がり部の数を３つとした場合を例に説明したが、それに限定されるものではない。たとえば、熱交換部の台数を６つ以上とし、室外熱交換器７の折れ曲がり部の数を５つ以上としてもよい。この場合には、通風抵抗の増加も伴うことがあるため、室外熱交換器７を薄くするなど、室外熱交換器７の仕様を適宜選択するとなお良い。
【００３９】
また、室外熱交換器７は、第１〜第３折れ曲がり部のうちのいずれかが設けられていなくてもよい。たとえば、第２折れ曲がり部が設けられていない場合には、熱交換部７ｂと熱交換部７ｃが吸込口６に対して略平行に配置されることとなる。これによっても、室外熱交換器７の少なくとも一部は、水平断面形状が略波形となっており、ケーシング１のサイズを大きくすることなく、室外熱交換器７の熱交換量を高効率に増加させることができる。
【００４０】
また、本実施の形態１では、羽根４ａの径方向の長さを大きくして１台の室外ファン４で所定の風量を発生させるようにしている。これは、羽根４ａの径方向の長さを大きくして１台の室外ファン４で所定の風量を発生させることにより、室外ファン４を比較的低回転数で効率良く運転でき、また、騒音を抑制することができるからである。ただし、ケーシング１内に設置する室外ファン４の台数は１台に限定されるものではない。
たとえば、室外熱交換器７の熱交換部７ａ〜７ｄの台数の増加に応じて、すなわちケーシング１内を占める室外熱交換器７の体積（実装体積）の増加に応じて室外熱交換器７に供給する風量を増加させる場合がある。この場合には、ケーシング１に複数の室外ファン４を設けてもよい。
【００４１】
また、室外熱交換器７は、４つの熱交換部７ａ〜７ｄを別体で構成し、伝熱管折り曲げ部７２ｂをろう付けなどで接続して構成しても良い。あるいは、熱交換部を一体で製造後、上述の第１〜第４の折れ曲がり部に対応する部分で室外熱交換器７を曲げることで構成してもよい。このように、室外熱交換器７を構成する場合には、第１〜第３の折れ曲がり部に対応する折り曲げ部分には、予めフィン７１を取り付けない構成にするとよい。これにより、フィン７１同士が干渉することが抑制され、室外熱交換器７の曲げ加工性を向上させることができる。また、折れ曲がり部は、もともと空気が流通しにくく熱交換への寄与は小さいため、室外熱交換器７の熱交換量を低下させることなくフィン７１の材料の使用量を削減することができ、コストアップを抑制することができる。
【００４２】
ここで、「垂直方向」は、重力の方向と厳密に一致する方向を示すものではなく、重力の方向から若干傾いてもよいものである。つまり、「垂直方向」は、実質的に垂直方向であることを示していることを付言しておく。
また、「水平方向」は、重力と直角に交わる方向と厳密に一致する方向を示すものではなく、重力と直角に交わる方向から若干傾いてもよいものである。つまり、「水平方向」は、実質的に水平方向であることを示していることを付言しておく。
【００４３】
［動作説明（空気の流れ）］
次に、本実施の形態１に係る室外ユニット５０の動作について説明する。
図１において白抜き矢印で空気の流れを示すように、室外ファン４により発生させる空気の流れは、吸込口６から、ベース板１ａ、フロントパネル１ｂ、サイドパネル１ｃ、リアパネル１ｅ及び天板１ｄで形成された風路に流入し、吹出口２から放出される。
すなわち、室外ファン４を駆動することにより、室外ユニット５０近傍の空気は、吸込口６から風路内に流入し、風路内に配置された室外熱交換器７のフィン７１、及びモーターサポート３０の支柱３０ａ、３０ｂを通過し、吹出口２から排出される。なお、室外熱交換器７のフィン７１間を通る空気は、伝熱管７２を流れる冷媒と熱交換する。
【００４４】
ここで、図１中の白抜き矢印からわかるように、本実施の形態１に係る室外ユニット５０においては、吸込口６から吸い込まれた空気は、ほぼ直線状に風路内を通過して室外ファン４から放出される。このため、風路内での圧力損失の多くは室外熱交換器７を通過する際に発生する圧力損失であり、空気の曲がりや拡大・縮小などに起因する圧力損失、いわゆる形状損失が抑制されている分、ファン入力の低減を図ることができる。
また、本実施の形態１に係る室外ユニット５０においては、室外ファン４の回転軸に略平行に空気が流入するという、軸流ファンに適した流入条件となっている。このため、室外ファン４のファン効率が向上するとともに、乱れの少ない流れが室外ファン４に流入するので、騒音も低減することができる。
【００４５】
［実施の形態１に係る室外ユニット５０の有する効果］
本実施の形態１に係る室外ユニット５０は、ケーシング１内に内蔵されている室外熱交換器７を熱交換部７ａ〜７ｄで構成し、これらを略波形（ジグザグ状）に配置したので、ユニットサイズを大きくすることなく室外熱交換器７の実装体積を増加させることができる。すなわち、室外ユニット５０は、ケーシング１のサイズを大きくすることなく、室外熱交換器７の熱交換量を高効率に増加させることが可能となっている。
【００４６】
本実施の形態１に係る室外ユニット５０は、室外熱交換器７を構成する熱交換部７ａ〜７ｄを略波形に配置しているため、室外熱交換器７に供給される空気を吸込む面積を十分大きく確保することができるようになっている。これにより、室外熱交換器７の通風抵抗が低減する分、ファン入力を低減させることができ、室外ユニット５０の消費電力を抑制することができる。
【００４７】
本実施の形態１に係る室外ユニット５０は、モーターサポート３０の支柱３０ａを熱交換部７ａと熱交換部７ｂとの接続箇所に対応する伝熱管折り曲げ部７２ｂ（第１の折れ曲がり部）と、熱交換部７ｃと熱交換部７ｄとの接続箇所に対応する伝熱管折り曲げ部７２ｂ（第３の折れ曲がり部）に対向配置した。これにより、モーターサポート３０が設置されることによる通風抵抗の増加を抑制することができ、室外ファン４の入力の増加を抑制できる。また、気流の干渉による乱れに起因する騒音の増加も抑制できる。
【００４８】
本実施の形態１に係る室外ユニット５０は、熱交換部７ａ〜７ｄを略波形（ジグザグ状）に配置し、モーターサポート３０の支柱３０ａを折れ曲がり部の下流側に対向配置したので、室外熱交換器７の熱交換量を高効率に増加させることと、通風抵抗（つまりはファン入力）の低減をすることとの両立を図ることができるようになっている。
より詳細には、室外熱交換器７が略波状となるようにして室外熱交換器７の体積増加をさせて高効率に熱交換量を増大させることができる。これと同時に、室外熱交換器７が略波状である分通風面積が増加していること、及び、支柱３０ａが折れ曲がり部の下流側に対向配置されたことによって、通風抵抗の低減が図られているということである。
【００４９】
室外熱交換器７を略Ｌ字形状や略コの字状などに構成し、この室外熱交換器７がケーシング１の面に沿うようにした従来の室外ユニットと、本実施の形態１に係る室外ユニット５０とを比較すると、室外ユニット５０は次のような効果を奏する。
なお、以下では、室外熱交換器７の体積を、「積み幅長（フィン７１の積層方向において両端部に配置されたフィン７１間の距離）」×「フィン７１の長手方向長さ」×「フィン７１の短手方向長さ」と定義する。また、本実施の形態１に係る室外熱交換器７のように複数の熱交換部７ａ〜７ｄで構成されたものの場合、各熱交換部７ａ〜７ｄの体積の総和を室外熱交換器７の体積とする。
【００５０】
（１）フィン７１が水平方向に積層され、フィン７１の長手方向が垂直方向となっている室外熱交換器７を搭載した室外ユニット５０の場合（図１（ｂ）参照）。
従来の室外ユニットと本実施の形態１に係る室外ユニット５０のユニットサイズを同じとし、両室外ユニットに内蔵される熱交換器の体積も同一と仮定した場合、本実施の形態１に係る室外ユニット５０は、室外熱交換器７の積み幅長（つまり、各熱交換器の積み幅長の総和）を従来の室外ユニットよりも長くできるので、フィン７１の短手方向長さ（つまり、室外熱交換器７の厚み）を薄くすることが可能となる。
また、フィン７１の短手方向の長さと、フィン７１の短手方向に沿って配置される伝熱管の列数とは、対応関係がある。このため、従来の室外ユニットと本実施の形態１に係る室外ユニット５０のユニットサイズを同じとし、両室外ユニットに内蔵される室外熱交換器の体積も同一と仮定した場合、本実施の形態１に係る室外ユニット５０は、伝熱管７２の列数を少なくすることも可能となる。
【００５１】
（２）フィン７１が垂直方向に積層され、フィン７１の長手方向が水平方向となっている室外熱交換器７を搭載した室外ユニット５０の場合（図示省略）。
従来の室外ユニットと本実施の形態１に係る室外ユニット５０のユニットサイズを同じとし、両室外ユニットに内蔵される熱交換器の体積も同一と仮定した場合、本実施の形態１に係る室外ユニット５０は、各熱交換器のフィン７１の長手方向の長さの総和を従来の室外ユニットよりも長くできるので、フィン７１の短手方向の長さ（つまり、室外熱交換器７の厚み）を薄くすることが可能となる。
このため、上述のように、従来の室外ユニットと本実施の形態１に係る室外ユニット５０のユニットサイズを同じとし、両室外ユニットに搭載される室外熱交換器の体積も同一と仮定した場合、本実施の形態１に係る室外ユニット５０は、伝熱管７２の列数を少なくすることも可能となる。
【００５２】
上述の（１）及び（２）より、本実施の形態１に係る室外ユニット５０は、従来の室外ユニットと比べ、室外熱交換器７を効率良く動作させることができるので、ユニットサイズを大きくすることなく室外ユニット５０の性能を向上させることができる。すなわち、本実施の形態１に係る室外ユニット５０は、従来の室外ユニットと同等の熱交換効率を得ようとした場合、熱交換効率の向上分だけ室外熱交換器７の体積を削減できる。すなわち、室外熱交換器７の体積の削減量の分だけ、材料コストを抑制することができる。
【００５３】
実施の形態２．
実施の形態１において室外熱交換器７は、熱交換部７ａ〜７ｄが複数接続されて構成され、水平断面視した形状が略波形となるように熱交換部７ａ〜７ｄを配置したものであった。本実施の形態２において室外熱交換器７は、熱交換部７ａ〜７ｄが複数接続されて構成されている点では実施の形態１と共通しているが、垂直断面視した形状が略波形となるように熱交換部７ａ〜７ｄを配置している点で実施の形態１と異なっている。図３及び図４を参照して実施の形態２に係る室外ユニット５０について説明する。
【００５４】
図３は、実施の形態２に係る空気調和装置の室外ユニット５０の概要構成例図である。
なお、図３（ａ）は、室外ユニット５０の正面図である。図３（ｂ）は、図３（ａ）のＡ−Ａ断面図である。図３（ｃ）は、室外ユニット５０の背面図である。図３（ｄ）は、紙面左側のサイドパネル１ｃ側から室外ユニット５０内部を見た図である。図３（ｅ）は、仕切板８側から室外ユニット５０内部を見た図である。ただし、図３（ｄ）及び図３（ｅ）においては、室外熱交換器７、室外ファン４及びモーターサポート３０の位置関係が分かるように、室外ファン４及びモーターサポート３０も図示している。図４は、図３に示すファンモータ及びモーターサポートの模式図である。
なお、本実施の形態２では、実施の形態１と同一部分には同一符号とし、実施の形態１との相違点を中心に説明するものとする。また、図３（ｂ）に示す白抜き矢印は、室外ユニット５０を流れる空気の流れを示すものである。
【００５５】
室外熱交換器７は、供給される空気と冷媒とを熱交換させる４つの熱交換部７ａ〜７ｄを有している。熱交換部７ａ〜７ｄは、熱交換器であり、これらが伝熱管７２で接続されて室外熱交換器７を構成している。
熱交換部７ａ〜７ｄは、垂直断面視した形状が略波形（ジグザグ状）となるように配置されている。このため、ケーシング１内に設けられる室外熱交換器７の実装体積が増大し、熱交換量を増大させることができる。
また、室外熱交換器７は、垂直断面形状が略波形であることに対応して、室外熱交換器７の通風面積も増大している。このため、室外熱交換器７は、実装体積の増加に対応して増大する通風抵抗を抑制することが可能となっている。すなわち、室外熱交換器７は、室外熱交換器７の実装体積の増大に伴ってファン入力を増大させても、室外熱交換器７の通風抵抗を抑制することができる分、ファン入力を低減することができる。
さらに、室外熱交換器７は、実装体積及び通風面積が大きいが、垂直断面視した形状が略波形となっているため、コンパクトとなっている。
このように、室外熱交換器７は、ケーシング１のサイズを大きくすることなく、実装体積及び通風面積を大きくすることができ、室外熱交換器７の熱交換量を高効率に増加させることができるようになっている。
【００５６】
熱交換部７ａは、室外熱交換器７のうちの上端部側を構成するものであり、熱交換部７ａを流れる空気（図３の矢印）の上流側から下流側に向かって下方に傾斜するようにケーシング１内に設けられている。熱交換部７ａは、熱交換部７ｂに接続されている。
熱交換部７ｂは、上端部側が熱交換部７ａに接続され、下端部側が熱交換部７ｃに接続されている。熱交換部７ｂは、下流側から上流側に向かって下方に傾斜するようにケーシング１内に設けられている。
熱交換部７ｃは、上端部側が熱交換部７ｂに接続され、下端部側が熱交換部７ｄに接続されている。熱交換部７ｃは、熱交換部７ａと同様に、熱交換部７ａを流れる空気（図３の矢印）の上流側から下流側に向かって下方に傾斜するようにケーシング１内に設けられている。
熱交換部７ｄは、室外熱交換器７のうちの下端部側を構成するものであり、熱交換部７ａを流れる空気（図３の矢印）の下流側から上流側に向かって下方に傾斜するようにケーシング１内に設けられている。熱交換部７ｄは、熱交換部７ｃに接続されている。
【００５７】
このように、室外熱交換器７は、熱交換器である熱交換部７ａ〜７ｄが４つ配置されている。すなわち、室外熱交換器７は、熱交換部７ａと熱交換部７ｂとの接続箇所に対応する第１の折れ曲がり部と、熱交換部７ｂと熱交換部７ｃとの接続箇所に対応する第２の折れ曲がり部と、熱交換部７ｃと熱交換部７ｄとの接続箇所に対応する第３の折れ曲がり部とを有している。
また、熱交換部７ａ〜７ｄの室外ファン４側の端部側は、室外ファン４に近接し、室外熱交換器７の通風面積が十分大きくなるように配置されている。
【００５８】
熱交換部７ａ〜７ｄは、フィン７１と伝熱管７２で構成されている。フィン７１は、図３（ｂ）の紙面平行方向（垂直から傾斜する方向）に伸びた短冊状の板で、紙面直交方向（水平方向）の伝熱管と共に、空気が流れるすきまが形成されるように一定の間隔を介して紙面直交方向（水平方向）に複数積層されている。このため、実施の形態２では、実施の形態１で示した効果に加え、フィン７１間のすきまが空気の流れ方向と平行になっているため、空気は室外熱交換器７を通過する際に、移動しやすくなっている。このため、室外熱交換器７の通風抵抗がより低減し、ファン入力を低減することができる。
【００５９】
実施の形態２に係るモーターサポート３１は、実施の形態１に係るモーターサポート３０を９０度回転させたような構成となっている。
支柱３１ａは、図４に示すように、ケーシング１のサイドパネル１ｃ側から仕切板８側にかけて、略水平方向に延びるように設けられている。支柱３１ａの一端側はサイドパネル１ｃに固定され、支柱３１ａの他端側は仕切板８に固定されている。支柱３１ａは、支持部３１ｂを介して室外ファン４のファンモータ５を支持している。
支持部３１ｂは、図４に示すように、支柱３１ａに対して略直交するように設けられており、室外ファン４のファンモータ５を支持している。
【００６０】
なお、本実施の形態２では、室外熱交換器７の熱交換部の台数を４つとし、折れ曲がり部の数を３つとした場合を例に説明したが、それに限定されるものではない。たとえば、室外熱交換器７の熱交換部の台数を５つ以上とし、折れ曲がり部の数を４箇所以上としてもよい。この場合、通風抵抗の増加も伴うため、室外熱交換器７の「厚み」を薄くするなど、室外熱交換器７の仕様を適宜選択するとなお良い。
【００６１】
また、本実施の形態２では、４つの熱交換部７ａ〜７ｄを別体で構成しているが、熱交換部を一体で製造後、上述の第１〜第３の折れ曲がり部に対応する部分で室外熱交換器７を曲げることで構成してもよい。また、もともと略波形に一体で製造しても良い。
【００６２】
［実施の形態２に係る室外ユニット５０の有する効果］
本実施の形態２に係る室外ユニット５０は、実施の形態１に係る室外ユニット５０と同様な効果を奏する。
【００６３】
実施の形態３．
図５は、実施の形態３に係る空気調和装置の室外ユニット５０の概要構成例図である。図５（ａ）は、室外ユニット５０の正面図である。図５（ｂ）は、図５（ａ）におけるＡ−Ａ断面図である。図５（ｃ）は、室外ユニット５０の背面図である。本実施の形態３では、実施の形態２と同一部分には同一符号とし、実施の形態２との相違点を中心に説明するものとする。また、図５（ｂ）に示す白抜き矢印は、室外ユニット５０を流れる空気の流れを示すものである。
【００６４】
実施の形態３は、実施の形態２における室外熱交換器７の配置と同様であるが、室外熱交換器７の機械室１０側のサイドプレート８０が、仕切板８と共通化がなされている点で異なる。すなわち、実施の形態３では、室外熱交換器７の一方のサイドプレート８０と仕切板８とが一体成型されている。
このように、仕切板８と室外熱交換器７の一方のサイドプレート８０を構成すれば、「部品の共通化によるコストダウン」、「一体化による組立部品点数削減」、及び「組立工程の簡素化」を図ることができる。
また、仕切板８に室外熱交換器７、つまり各熱交換部７ａ〜７ｄを固定できるため、室外熱交換器７を垂直方向に対して略波形に配置するための「配置精度の向上」を図ることができる。
また、図５（ｄ）、（ｅ）に示すように室外熱交換器７の機械室１０とは反対側のサイドプレート８０にモーターサポート３０を取り付ける構造にしても良い。こうすることでサイドパネル１ｃとは独立してモーターサポート３０を配置することが出来るため、「組立工程の簡素化」を図ることができる。
また、図５（ｆ）に示すようにベルマウス３にモーターサポート３０を取り付ける構造にしてもよい。こうすることで室外ファン４とベルマウス３を配置するための「組立制度の向上」を図ることができる。
【００６５】
［実施の形態３に係る室外ユニット５０の有する効果］
本実施の形態３に係る室外ユニット５０は、実施の形態１に係る室外ユニット５０と同様な効果を奏するとともに、「部品の共通化によるコストダウン」、「一体化による組立部品点数削減」、「組立工程の簡素化」及び「配置精度の向上」を図ることができる。
【００６６】
実施の形態４．
本実施の形態４では、実施の形態１、２で説明した室外ユニット５０の室外ファン４に対して改良が加えられている。図６は、実施の形態４に係る空気調和装置の室外ユニット５０の概要構成例図である。図６（ａ）は、室外ユニット５０の正面図である。図６（ｂ）は、図６（ａ）におけるＡ−Ａ断面図である。本実施の形態４では、実施の形態１と同一部分には同一符号とし、実施の形態１との相違点を中心に説明するものとする。
【００６７】
本実施の形態４に係る室外ファン４の羽根は、図６に示すように、内周側端部がボス４ｂに接続される内周羽根１０１と、内周羽根１０１の外周側端部に接続される中間リング１００と、内周側端部が中間リング１００に接続される外周羽根１０２とを有している。
内周羽根１０１は、内周側端部がボス４ｂに接続され、外周側端部が中間リング１００に接続されたものである。
中間リング１００は、平面視形状がリング状の部材であり、内周羽根１０１と外周羽根１０２とを接続して固定するものである。中間リング１００は、羽根の略中間位置（ボス４ｂの外周と外周羽根１０２の外周側端部の略中間位置）に設けられている。
外周羽根１０２は、内周側端部が中間リング１００に接続され、外周側端部がベルマウス３に対向するように設けられている。
【００６８】
本実施の形態４では、外周羽根１０２の枚数を内周羽根１０１の枚数より多くして、室外ファン４の空力性能を確保している。
また、図６に示すように、中間リング１００は、その径が支柱３０ａの対向間隔と略同一となっているとともに、支柱３０ａに対向配置されている。
このため、室外ファン４の回転軸を通る水平断面視をしたとき、熱交換部７ａと熱交換部７ｂとの接続部（第１の折れ曲がり部）及び熱交換部７ｃと熱交換部７ｄとの接続部（第３折れ曲がり部）と、支柱３０ａと、中間リング１００とが、略同一直線上に配置されることとなる。
【００６９】
実施の形態１で説明したように、室外熱交換器７の接続部（第１〜第３の折れ曲がり部）付近では比較的空気が流れにくいが、羽根のない中間リング１００の位置と略一致しているため、中間リング１００を設けたことに起因する室外ファン４の空力性能の低下を抑制することができる。また、中間リング１００への空気流入がないため、吸い込み空気と中間リング１００との干渉による乱れに起因する騒音増加を抑制することができる。
このように、室外ファン４の空力性能の低下、騒音の増加を招くことなく室外ファン４の薄型化、つまりは室外熱交換器７の実装体積を増加させることができる。
【００７０】
実施の形態１における室外ファン４は、羽根の幅を狭くし、その分、羽根の枚数を多くして、回転軸方向の厚みが薄くなるように構成している。
一方、本実施の形態４に係る室外ファン４は、内周羽根１０１と外周羽根１０２との間に中間リング１００が設けられているため、羽根の根元側の強度を向上させることができるようになっている。このため、より一層、羽根の幅を狭くすることが可能となり、幅を狭くした分、内周羽根１０１及び外周羽根１０２の枚数を多くすることができる。
すなわち、本実施の形態４に係る室外ファン４は、実施の形態１に係る室外ファン４よりも空気を搬送する能力が低減することなく、実施の形態１に係る室外ファン４よりも回転軸方向の厚みの薄型化を図ることが可能となっている。そして、室外ファン４の羽根の軸方向厚みがより小さくなるため、室外ユニット５０内に室外熱交換器７を実装するスペースが増加し、室外熱交換器７の実装体積が増加する。
【００７１】
なお、本実施の形態４における羽根の構成は、内周羽根１０１、外周羽根１０２及び中間リング１００を有する構成としたが、それに限定されるものではない。たとえば、隣接する外周羽根１０２を接続するリング状の部材（外周リング）をさらに設けてもよい。
より詳細には、図６（ａ）のボス４ｂを中心としたとき、この中心から広がる方向（径方向）の外側部分、すなわち、外周羽根１０２の端部側を固定するように、外周羽根１０２にリング状の部材を設けてもよいということである。これにより、羽根の強度をさらに向上させることができる。
【００７２】
［変形例］
図７は、図６に示す室外ユニット５０の変形例である。なお、図７（ａ）は、室外ユニット５０の正面図である。図７（ｂ）は、図７（ａ）のＡ−Ａ断面図である。図７（ｃ）は、紙面左側のサイドパネル１ｃ側から室外ユニット５０内部を見た図である。図７（ｄ）は、仕切板８側から室外ユニット５０内部を見た図である。ただし、図７（ｃ）及び図７（ｄ）においては、室外熱交換器７、室外ファン４及びモーターサポート３０の位置関係が分かるように、室外ファン４及びモーターサポート３０も図示している。
上述の図６の室外ユニット５０は、室外ファン４の羽根が、外周羽根１０２、内周羽根１０１及び中間リング１００を有する態様を、実施の形態１における室外熱交換器７及びモーターサポート３０に対して適用したものであった。
一方、図７の室外ユニット５０は、室外ファン４の羽根が、外周羽根１０２、内周羽根１０１及び中間リング１００を有する態様を、実施の形態２における室外熱交換器７及びモーターサポート３０に対して適用したものである。この図７の構成によっても、図６の態様と同等の効果を得ることができる。
【００７３】
［実施の形態４に係る室外ユニット５０の有する効果］
本実施の形態４に係る室外ユニット５０は、実施の形態１、２に係る室外ユニット５０と同様な効果を奏することに加えて、以下の効果を奏する。すなわち、本実施の形態４に係る室外ユニット５０は、空力性能の低下、騒音の増加を招くことなく、室外ファン４の薄型化、つまりは室外熱交換器７の実装体積を増加させることができる。
【符号の説明】
【００７４】
１  ケーシング、１ａ  ベース板、１ｂ  フロントパネル、１ｃ  サイドパネル、１ｄ  天板、１ｅ  リアパネル、２  吹出口、３  ベルマウス、４  室外ファン、４ａ  羽根、４ｂ  ボス、５  ファンモータ、５ａ  シャフト、６  吸込口、７  室外熱交換器、７Ｂ  室外熱交換器、７ａ  熱交換部、７ｂ  熱交換部、７ｃ  熱交換部、７ｄ  熱交換部、８  仕切板、９  圧縮機、１０  機械室、３０、３１  モーターサポート、３０ａ、３１ａ  支柱（第１の支柱及び第２の支柱）、３０ｂ、３１ｂ  支持部、５０  室外ユニット、７１  フィン、７２  伝熱管、７２ａ  Ｕベンド側伝熱管、７２ｂ  伝熱管折り曲げ部、７２ｃ  ヘアピン側伝熱管、８０  サイドプレート、１００  中間リング、１０１  内周羽根、１０２  外周羽根、Ｓ  空間。
【図１】
2014059077.tif 000003
【図２】
2014059077.tif 000004
【図３】
2014059077.tif 000005
【図４】
2014059077.tif 000006
【図５】
2014059077.tif 000007
【図６】
2014059077.tif 000008
【図７】
2014059077.tif 000009